(57)【特許請求の範囲】
【請求項１】
ゴルフ傘の柄を所定長さに亘って囲むように取付可能な円筒状の吸水性部材として形成され、
前記ゴルフ傘の柄への取付は、
雌ねじ部を内周面に形成し、該雌ねじ部をゴルフ傘の柄の端部に形成された雄ねじ部に螺合させて行う様にしたことを特徴とする記載のゴルフ傘用グリップ除水用具。
【請求項２】
前記吸水性部材は、略円筒状の基材の外周面に該外周面を覆うように固着され、
前記雌ねじ部は、前記基材の内周面に形成されたことを特徴とする請求項１に記載のゴルフ傘用グリップ除水用具。
【請求項３】
ゴルフ傘の柄を所定長さに亘って囲むように取付可能な円筒状の吸水性部材を有する構成とされ、
弾力性を有する略中空円筒状部材であってその軸方向全長にわたる切断部が設けられた基材を有し、
前記吸水性部材は、該基材の外周面を覆うように該基材に固着され、
前記ゴルフ傘の柄への取付けは、
前記切断部の開閉により前記ゴルフ傘の柄の所定箇所に対して行う様にしたことを特徴とするゴルフ傘用グリップ除水用具。
【発明の詳細な説明】
【０００１】
【発明の属する技術分野】
本発明はゴルフ傘用グリップ除水用具、特にゴルフ傘の柄に設けられる除水用具に関するものである。
【０００２】
【従来の技術】
ゴルフのプレーにおいては、ゴルフクラブのグリップをしっかり安定して握るために、ゴルフクラブのグリップとゴルファーのグラブあるいは手との間の摩擦が十分に確保されなければならない。しかしながら、雨天のゴルフプレーにおいては、ゴルファーのグラブや手が雨によって濡れ、またゴルフクラブのグリップも雨により濡れた状態となっている。従って、グリップを握ってスイングを行う際にグリップが滑りやすくなっており、スイング中やインパクト時に握りがずれることによりショットに乱れが生じ易いという事情がある。
【０００３】
このようなグリップの滑りによる乱れはゴルフのショットをする際に大きな問題であり、雨天に於けるゴルフプレー中のゴルファーのグラブや手及びゴルフクラブのグリップの水分を除去するという作業は非常に重要である。このような事情から、雨天のゴルフプレー時にグリップや手を拭くための用具の提案が種々なされている。
【０００４】
特開平６−１０６号公報には、ゴルフ用傘の支柱（柄）の上部位置にタオルなどの小物を取り付ける保持具を設けるようにした技術が開示されている。
【０００５】
また、特開平９−２８９９１２号公報では、ゴルフ用傘の柄の内部に送風手段を設置しそこから起こす風によりゴルフクラブのグリップやグラブあるいは手を乾かすことができるようにした技術が開示されている。
【０００６】
更に、実開昭５９−３１９１６号の公報には、携帯用グリップ拭き取り具が開示されており、筒状の拭き取り部を傘の骨部に係留させておき、必要に応じてこの拭き取り部で手を拭いたり、またこれを取り外して開口部からゴルフクラブのグリップを挿入してグリップの水分を除去することにも用いるものである。
【０００７】
【発明が解決しようとする課題】
しかしながら、上記  特開平６−１０６号公報に示された傘の支柱の上端部に保持具を設けてその保持具にタオルなどを掛ける技術では、結局傘とは別体の水分を拭き取るための小物を下げるものであり、傘の骨などにタオルを掛けて持ち運ぶのと同様である。したがって、その取付や取り外しが煩雑であり、また見栄えが良くないという事情から、比較的マナーやスタイルを重んじるゴルフのプレーにおいては、好ましい物ではない。
【０００８】
特開平９−２８９９１２号公報の傘の柄の内部に送風手段を装着する技術では、傘の内部構造が複雑になり、この手段を装着するための特別の構成を有する傘を製造する必要があり、傘のコストアップにつながり実用化の点で大きな支障となる。
【０００９】
実開平５９−３１９６号公報の携帯用グリップ拭き取り具も、上記特開平６−１０６号公報の技術と同様に拭き取り部を傘に係留させて、すなわちぶら下げて用いるものであるので、その着脱が煩雑でありかつ不使用時に邪魔になりかつ見栄えが悪いという同様の問題がある。
【００１０】
本発明は、上記種々の事情に鑑みなされたものであり、その目的は極めて簡単な構造で、ゴルフ傘への取付状態ではゴルフ傘と一体になり、不使用時には邪魔になることがなく、かつ容易に使用できる見栄えの良いゴルフ傘用グリップ除水用具を提供することにある。
【００１１】
【課題を解決するための手段】
請求項１に係るゴルフ傘用グリップ除水用具は、
ゴルフ傘の柄を所定長さに亘って囲むように取付可能な円筒状の吸水性部材として形成され、前記ゴルフ傘の柄への取付けは、  雌ねじ部を内周面に形成し、該雌ねじ部をゴルフ傘の柄の端部に形成された雄ねじ部に螺合させて行う様にしたことを特徴とする。
これにより、吸水性部材はゴルフ傘の柄の周囲に配置されているので、使用者は、歩きながら、或いはショットの前にこの吸水性部材の部分を握り締めることにより簡単にグラブや手に着いた水滴を除去することができる。
【００１２】
更に、傘の使用時において、吸水用具がつり下げ状態で揺れたり、傘本体から突出するような状況が生じないので、傘の外観上の大きな変化がなく、且つ装着状態での見栄えを悪くすることもない。
また、円筒状の吸水性部材の内側面に雌ねじを設けることにより、使い捨て形式の用具とする場合に好適であり、天然の材料により吸水性部材形成することにより、廃棄の際の公害などの問題も生じることがない。
【００１３】
請求項２に係るゴルフ傘用グリップ除水用具は、
前記吸水性部材が、略円筒状の基材の外周面に該外周面を覆うように固着され、
前記雌ねじ部は、前記基材の内周面に形成されたことを特徴とする。
【００１４】
このような除水用具によれば、請求項１の除水用具と同じく、取付は傘の柄の把持部側の端部に螺合させることで簡単に取り付けることができ、除水の動作が簡単であるという同様の作用があり、外観上目立たないと言う利点も同様に有している。更に、基材を有しているので、傘の柄への装着状態はより安定したものとなり、基材の存在により、吸水性部材の部分を乾燥させることにより、再利用するような形態のものとして好適である。
【００１６】
請求項３に係るゴルフ傘用グリップ除水用具は、
ゴルフ傘の柄を所定長さに亘って囲むように取付可能な円筒状の吸水性部材を有する構成とされ、弾力性を有する略中空円筒状部材であってその軸方向全長にわたる切断部が設けられた基材を有し、前記吸水性部材は、該基材の外周面を覆うように該基材に固着され、前記ゴルフ傘の柄への取付けは、前記切断部の開閉により前記ゴルフ傘の柄の所定箇所に対して行う様にしたことを特徴とする。
【００１７】
このような除水用具によれば、基材に対してその切断部を広げる方向に力を加えて変形させ、その基材内側にゴルフ傘の柄が位置するようにし、基材の弾力性に基づく復元力により、広げた状態から元に戻すことによって、簡単にゴルフ傘の柄にこの除水用具を取りつけることができる。例えば、弾力性を有する樹脂などで基材を形成することにより取付状態の安定性が確保される。
【００１８】
すなわちその収縮力で基材がゴルフ傘の柄を挟持した状態となり、安定した取付状態となるものである。使用者がその部分を握り締めるという動作だけでスマートにグラブや手に着いた水の除去を行うことができることは、請求項１及び２に記載の除水用具と同様である。また、形状の安定した基材の存在により、吸水性部材を乾燥させることにより繰り返し使用することも可能である。
【００２６】
【実施例の形態】
以下、図面に基づいて本発明の実施の形態について詳細に説明する。図１は本発明に係るゴルフ傘用グリップ除水用具の第１の実施の形態を示している。図示のように、除水用具１０は基材１２とその外表面に固着された吸水性部材１４とからなっている。
【００２７】
基材１２は、略円筒形をしており、樹脂などで形成され弾力性をもった構成となっている。そして、この基材１２の所定箇所には全長に亘って切断して構成したスリット１６が形成されている。吸水性部材１４は綿やパルプなどの天然素材で成形することや吸水性の良い化学繊維などを所定厚さに成形したものを用いることが可能である。
【００２８】
なお、この吸水性部材１４は本実施の形態では単層として構成しているが、保水性の度合いの異なる部材を複数層重ねて形成することも可能であり、内部に保水性の高い材料を用いることにより吸収した水が外方へ流れることを有効に防止するようにすることも可能である。
【００２９】
この除水用具１０は、図２に示したようにスリット１６の部分に力を加えて矢印方向に押し広げることが可能である。そして、この拡げた状態でゴルフ傘１００の柄１０２の部分にその収縮力を用いて簡単に装着することができる。図３はその取付状態を示している。
【００３０】
この状態では、基材１２は傘の柄１０２を挟持した状態となり、取付状態は安定している。このように、傘の通常の把持部１０４のすぐ上に吸水性部材１４が傘の柄１０２を囲むようにして存在しているので、使用者は傘をさした状態でこの部分を把持するという動作で簡単にグラブや手の水を除去することができる。したがって、除水用具１０がぶら下がった状態でそれを揺らしながら歩くような見栄えの悪い状況もなく、更に、使用中の除水用具１０の付け替え動作も簡単に行うことができる。
【００３１】
図４は上記図１に示した実施の形態の変形例を示しており、図示のように基材１２を押し広げる動作をより簡単に行うことができるように基材１２のスリット１６の端面部分につまみ１８ａ、１８ｂを設けている。これにより、使用者はつまみ１８ａと１８ｂをもってこれを広げるようにすることにより傘の柄１０２への装着をより簡単に行うことができる。
【００３２】
図５は、更に他の実施の形態を示しており、図示のように除水用具２０は、中空円筒状の基材２２の外周面に吸水性部材２４を固着して形成している。基材２２の内周面には雌ねじが切られており、一方、傘の柄１０２の把持部側端部には、図示のように雄ねじが切られている。
【００３３】
除水用具２０の基材２２に形成された雌ねじと傘の柄１０２の把持部に形成された雄ねじとは螺合可能な構成とされており、除水用具２０を螺合動作により簡単に取り付けることができる。除水用具２０は軽量でありかつ、簡単に螺入動作を行うことが好ましいことから、ねじ部は大きなピッチのねじ切りであることが好適である。また、大きなピッチのねじとすることにより、除水用具２０を装着しない状態でも傘の柄１０２の把持部は何ら違和感なく使用することが可能となる。
【００３４】
また、図５に示したような円筒状の除水用具の場合、基材２２を設けることなく吸水性部材そのものをある程度硬く成形し、その内側面にピッチの大きな雌ねじを形成しておくことによりそのまま傘の柄１０２に螺合させて取り付けることも可能である。この様な構成は、使い捨ての除水用具とするときには特に好適である。
【００３５】
図６は、シート状に除水用具を形成した参考例を示している。同図（Ａ）に示した除水用具４０は、布製の下地材４２の一方の面に吸水性部材４４を形成して成っている。また、ゴルフ傘の柄に巻き付けた状態で保持されるように、互いに係止し合う係止部材４６−１、４６−２が表裏面に設けられている。この様な除水用具４０であれば、軽量かつ柔軟性を有しているので、不使用状態では折り畳み或いは積層して、嵩張ることなくカバンなどに保管することが可能であり、使用後も手で絞って、干すことができ管理も簡単である。
なお、上記下地材４２は、布製に限定されるものではなく、傘の柄に簡単に巻き付けることのできる可撓性、柔軟性を有するものであれば、樹脂製のものを用いることも可能である。また、図においては、やや厚手のものを例として示したが、材質の変化などに応じて厚さは種々設定できるものである。
【００３６】
なお、上記下地材４２は、布製に限定されるものではなく、傘の柄に簡単に巻き付けることのできる可撓性、柔軟性を有するものであれば、樹脂製のものを用いることも可能である。また、図においては、やや厚手のものを例として示したが、材質の変化などに応じて厚さは種々設定できるものである。
【００３７】
同図（Ｂ）は、同じくシート状の除水用具であり、この除水用具５０は、その側端縁に設けられた軸部材５２にゴルフ傘の柄に挟持させることのできるクリップ部５４が設けられている。これにより、まず、クリップ部５４を柄に係止させておき、その後、柄に巻き付ける動作を行うことができるので、装着の容易化が図られ、取り付け状態もクリップ部５４の挟持力により安定したものとなる。シート状部分は同図（Ａ）に示したものと同様である。
【００３８】
なお、同図（Ｃ）は、上記シート状の除水用具４０を傘の柄に巻き付けて取り付けた状態を示している。図示のように、上記他の実施の形態と同様に、傘の使用にあたり邪魔になることもなく、簡単な動作で手やグラブの除水を行うことができる。この参考例を用いた手などの水分除去のための動作は、上記各実施の形態の場合と同様であり、傘の使用に影響なく簡単に行うことができる。
【００３９】
図７は、他の参考例を示している。この除水用具の機能は、使用者のグラブや手に付着した水の除去ではなく、ゴルフクラブ２００のグリップ部２０２の部分の水の除去である。したがって、この除水用具３０の吸水性部材は中空円筒体の内周面側に設けられている。
【００４０】
除水用具３０は傘１００の柄１０２の把持部１０４の端部に同軸状に固定されている。例えば、把持部１０４の下端部と除水用具３０の一端部が螺合可能な構造（図示せず）とされ結合されているものである。この結合は、必要なときだけ行えば足り、雨天時以外は除水用具３０は取り付ける必要はなく、通常の把持部１０４の状態で使用可能である。なお、把持部１０４の下端部と除水用具３０の一端部の螺合のための構造は、何れの側を雄ねじとするかは、設計時において適宜選択しうるものである。更に、この結合固定は、螺合によるものに限られず、除水用具３０が傘使用時に脱落しない程度の係止力が得られれば、単にはめ込み式とすることも可能である。
【００４１】
この形式の除水用具３０は全体形状が略円筒形状とされており、吸水を行う部分の具体的構造は、中空構造とされた基材（非取付け側端部は開口されている）の内側面にはクラブのグリップ部２０２を挿入可能な空間を内側に形成するように吸水性部材が固着されている。なお、この具体的構成は、以下に説明する図８の参考例のものとほぼ同様であり、実際のクラブグリップの水分除去動作は以下に説明する図９の場合と同様である。
【００４２】
図８は、図７に示した参考例と同様に、ゴルフクラブ２００のグリップ部２０２の部分の水の除去を目的とするものである。図７の参考例と異なるのは、除水用具を傘の把持部１０４に取り付けるのではなく、把持部１０４の部分自体を除水用具６０として構成したものである。
【００４３】
すなわち、把持部１０４は中空の構造とされ、端部１０４ａは開口されている。そして、その中空内部にはクラブのグリップ部２０２を挿入可能な空間を内側に形成するように吸水性部材６２が装填されている。なお、参考例では、把持部１０４ａの構造体の内周面には、その構造体の防錆のためにまず、防水性シート６４が貼着され、その内周面に吸水性部材６２が固着されている。
【００４４】
図９は、把持部１０４の内部構成を示すと共にゴルフクラブのグリップ部２０２が一部挿入されている状態を示している。把持部１０４の内径と吸水性部材５２の厚さとの関係は、図示のように、挿入されるグリップ部２０２が、吸水性部材６２を押圧しつつ侵入する様に設定される。これにより、グリップ部２０２は吸水性部材６２にしっかりと密着しつつ挿入され、抜き取られるので、表面の水分は効果的に除去される。
【００４５】
なお、本発明は、上記各実施の形態の構成に限定されるものではなく、発明の要旨の範囲内で種々の変形が可能であり、例えば基材の径や長さは種々設定することができ、また吸水性部材の材質についてはゴルフプレーの際のグラブに付着した水の除去という機能を奏するものであればいかなる材料のものでも用いることが可能である。
【００４６】
【発明の効果】
以上説明したように、本発明に係るゴルフ傘用グリップ除水用具によれば、傘に吸水用の部材をつり下げるなど見栄えの悪い状態を生ぜしめることなく、また、傘の構造を複雑化することなく簡単に除水用具を傘に一体化させることが可能である。そして、除水のための動作も極めて簡単で、且つ除水効果の良好性も確保することができる。
【図面の簡単な説明】
【図１】発明の実施の形態を示す斜視図である。
【図２】図１に示した実施の形態に係る除水用具の取付け時の変形状態を示す説明図である。
【図３】図１の実施の形態を実際にゴルフ傘に装着した状態を示す説明図である。
【図４】図１の実施の形態の変形例を示す斜視図である。
【図５】他の実施の形態を示す説明図である。
【図６】    （Ａ）及び（Ｂ）は参考例を示す説明図、（Ｃ）はそれらの使用状態説明図である。
【図７】  他の参考例を示す説明図である。
【図８】  他の参考例を示す説明図である。
【図９】  図８に係る参考例の使用状態を示す説明図である。
【符号】
１０、２０、３０、４０、５０、６０  ゴルフ傘用グラップ除水用具
１２、２２、３１  基材
１４、２４、３２、４４  吸水性部材
【図１】
0004064702.tif 000002
【図２】
0004064702.tif 000003
【図３】
0004064702.tif 000004
【図４】
0004064702.tif 000005
【図５】
0004064702.tif 000006
【図６】
0004064702.tif 000007
【図７】
0004064702.tif 000008
【図８】
0004064702.tif 000009
【図９】
0004064702.tif 000010